(57)【要約】【課題】医療現場で使用されるリストバンドに取付可能とするものであって、ＵＨＦ帯域の電磁波による安定した通信を可能とするリストバンド用のスペーサ体を提案する。【解決手段】ＲＦＩＤインレット３１が取り付けられるＲＦＩＤ取付部４２の裏側に位置するようにリストバンド４１に取り付けられることによって、人体と該ＲＦＩＤインレット３１とを離間した状態で保持するものである。本発明のスペーサ体１をリストバンド４１に取り付けることにより、ＲＦＩＤインレット３１で使用するＵＨＦ帯域の電磁波が人体から受ける影響を抑制でき、該ＵＨＦ帯域の電磁波の、安定した通信を可能とする通信距離を長くできる。【選択図】図５
2015230503.tif 000002
【特許請求の範囲】
【請求項１】
所定の入出力装置を介してデータを非接触で送受信可能なＲＦＩＤインレットが取り付けられるＲＦＩＤ取付部を備えたリストバンドに、取り付け可能とするものであって、
易変形性を有し、前記ＲＦＩＤ取付部の裏側に位置するようにリストバンドに取り付けられて、該リストバンドを装着した人体と該ＲＦＩＤ取付部のＲＦＩＤインレットとの間に介装され、これら両者を離間した状態で保持するものであることを特徴とするリストバンド用のスペーサ体。
【請求項２】
リストバンドのＲＦＩＤ取付部に取り付けられたＲＦＩＤインレットと該リストバンドを装着した人体とを５ｍｍ以上離間して保持するものであることを特徴とする請求項１に記載のリストバンド用のスペーサ体。
【請求項３】
少なくとも上下一側に、上方または下方に突出する凸部がリストバンドの長手方向に所定間隔をおいて複数形成されたものであることを特徴とする請求項１又は請求項２に記載のリストバンド用のスペーサ体。
【請求項４】
上下両側に複数の凸部を備え、上方に突出する凸部と下方に突出する凸部とがそれぞれ、リストバンドの長手方向で交互に形成されたものであることを特徴とする請求項３に記載のリストバンド用のスペーサ体。
【請求項５】
リストバントが、一端部から長手方向に所定間隔をおいて複数形成された調整孔のいずれかと他端部に形成された係合孔とを所定のバンド留め具で係合することにより環状に形成されるものであって、
両端に前記リストバンドと連係される連係部を備え、少なくとも一側の連係部に前記調整孔のいずれかと固結される固結機構が設けられたものであることを特徴とする請求項１乃至請求項４のいずれか１項に記載のリストバンド用のスペーサ体。
【請求項６】
固結機構が調整孔に貫入される係止突部を備え、リストバンドの調整孔のいずれかに該係止突部が貫入されることによって、該リストバンドに取り付けられるようにしたものであることを特徴とする請求項５に記載のリストバンド用のスペーサ体。
【発明の詳細な説明】
【技術分野】
【０００１】
本発明は、ＲＦＩＤインレットが取り付けられるリストバンドに取り付け可能なリストバンド用のスペーサ体に関するものである。
【背景技術】
【０００２】
医療の現場では、患者個人を正確かつ容易に特定できるように、患者個人の識別情報を印刷したリストバンドが用いられている。ここで、患者の識別情報は、バーコード化されてリストバンドの表面に印刷されるようにしていることが一般的である。そして、リストバンドは、患者の腕等に巻き付けることを要し、さらに前記バーコードをプリンタで印刷できることが求められるから、易変形性を有し且つ薄厚の帯形状であるものが適用されている。こうしたリストバンドによれば、その表面に印刷されたバーコードを専用の読取装置で読み取ることによって患者個人を正確に特定できる。例えば、投薬する場合に、投薬のラベルから読み取った薬情報と、リストバンドから読み取った患者の識別情報と、看護師のＩＤ情報とを三点照合し、正しく投薬されるようにしている。
【０００３】
さらに、上記のリストバンドは、バーコードを読み込むために専用の読取装置をバーコードに近接させねばならないが、ケガや病気等により腕を動かし難い患者の場合等では読取装置をバーコードに近接させ難く、それに要する労力と時間とが増大したり、患者の負担も大きくなってしまう。この他にも、夜間消灯している場合には、懐中電灯等でバーコードの読み取り位置を探す必要があるために読取作業の作業効率が低下したり、また、患者が就寝中であれば、患者を起こしてしまったりする。こうした問題に対して、例えば特許文献１には、ＲＦＩＤインレットがリストバンドに貼付された構成のものが提案されている。この構成では、ＲＦＩＤインレットに記憶された識別情報を専用装置により非接触で読み取ることができ、前記した患者の負担、読取作業に要する労力や時間の増大を抑制する効果がある。
【先行技術文献】
【特許文献】
【０００４】
【特許文献１】特許第４４４３９７５号公報
【発明の概要】
【発明が解決しようとする課題】
【０００５】
ところで、上述した従来の、リストバンドにＲＦＩＤインレットを貼付する構成では、ＨＦ帯域の電磁波を使用するＲＦＩＤインレットが用いられる。しかし、リストバンドに設けられるＲＦＩＤインレットでは、アンテナサイズ等が制限されることから、ＨＦ帯域の電磁波を使用するＲＦＩＤインレットの場合、通信可能な距離（以下、通信距離という）が短い。そのため、医療現場では、ＨＦ帯域の電磁波で安定した通信を行うために、専用の読取装置をリストバンドにできるだけ近づけることが必要となっており、上述した患者の負担を軽減する効果や読取作業の作業効率を向上する効果に限界があった。
【０００６】
こうしたＨＦ帯域の電磁波に比して、ＵＨＦ帯域の電磁波は通信距離を長くできることから、該ＵＨＦ帯域の電磁波を使用するＲＦＩＤインレットをリストバンドに貼付することが試みられている。しかしながら、ＵＨＦ帯域の電磁波は人体の影響を強く受けることから、ＲＦＩＤインレットを上記した薄厚のリストバンドに取り付けて、該リストバンドを患者の腕に取り付けた場合には、所望の通信距離を得られず、かつ安定した通信を行うことが難しいという問題がある。
【０００７】
さらに、上記のＵＨＦ帯域の電磁波は、通信距離を数ｍという極めて長い距離にすることも可能であることから、リストバンドに取り付けたＲＦＩＤインレットで該ＵＨＦ帯域の電磁波を使用できれば、例えば、病院内で患者の所在を明らかにできる所謂ロケーション管理が可能となる。このロケーション管理として、病院内の複数場所にＵＨＦ帯域の電磁波で送受信する装置を設置し、該装置と患者に装着したリストバンドのＲＦＩＤインレットとで通信することによって、該患者の位置を特定できるシステムが提案される。しかし、前述したように、ＵＨＦ帯域の電磁波は所望の通信距離が得られないという問題があることから、前記ロケーション管理に適用するために、この問題の解決が希求されていた。
【０００８】
本発明は、医療現場で使用されるリストバンドに取付可能とするものであって、該リストバンドに取り付けたＲＦＩＤインレットによりＵＨＦ帯域の電磁波を利用した通信を可能とするリストバンド用のスペーサ体を提案するものである。
【課題を解決するための手段】
【０００９】
本発明は、所定の入出力装置を介してデータを非接触で送受信可能なＲＦＩＤインレットが取り付けられるＲＦＩＤ取付部を備えたリストバンドに、取り付け可能とするものであって、易変形性を有し、前記ＲＦＩＤ取付部の裏側に位置するようにリストバンドに取り付けられて、該リストバンドを装着した人体と該ＲＦＩＤ取付部のＲＦＩＤインレットとの間に介装され、これら両者を離間した状態で保持するものであることを特徴とするリストバンド用のスペーサ体である。
【００１０】
ここで、「裏側」とは、リストバンドを患者の腕等に装着するために環状とした状態で、該環状の内側を示す。また、ＲＦＩＤインレットは、データを書き換え可能に格納するメモリを具備したＩＣチップと、該ＩＣチップに接続されたアンテナとを備えたもの、さらには該ＩＣチップおよびアンテナを担持し且つ保護する易変形性の薄膜状フィルムを備えた構成のものが好適に用いられる。また、リストバンドのＲＦＩＤ取付部としては、ＲＦＩＤインレットを取り付けることが可能な部位であれば、必ずしも該ＲＦＩＤインレットを取り付けるための専用部位である必要はない。
【００１１】
かかる構成にあっては、リストバンドに取り付けることによって、該リストバンドのＲＦＩＤ取付部に取り付けたＲＦＩＤインレットを人体から離間できることから、ＵＨＦ帯域の電磁波を使用するＲＦＩＤインレットを用いた場合に、該ＵＨＦ帯域の電磁波が人体から受ける影響を抑制できる。これにより、ＵＨＦ帯域の電磁波の、安定した通信を可能とする通信距離を長くできることから、患者の腕等に装着したリストバンドから該患者の識別情報を取得または確認する場合に、所定の入出力装置を近接させることなく、非接触で該患者の識別情報を確実かつ安定して取得できる。そのため、上述した腕を動かし難い患者に対しては、該患者の腕を動かすことなく、識別情報を取得することができる。また、夜間消灯中などで患者が就寝している場合には、布団の上から識別情報を取得することが可能である。したがって、患者の識別情報を取得する作業で、該患者の負担を著しく軽減することができると共に、該識別情報の取得作業の作業効率を大きく向上できる。
【００１２】
さらに、本発明のスペーサ体を取り付けたリストバンドを使用すれば、ＵＨＦ帯域の電磁波を使用するＲＦＩＤインレットの通信距離を数ｍという長い距離とすることも可能であるから、患者から比較的離れた位置からでも、患者の識別情報を取得することが可能である。これにより、上述したロケーション管理に要する通信距離が得られるため、リストバンドによる実用的な該ロケーション管理を行うことが可能となる。
【００１３】
また、本発明のスペーサ体は、リストバンド（およびＲＦＩＤインレット）と別部材であることから、該リストバンドに取り付けるか否かを適宜選択することが可能である。すなわち、健康診断等の患者や比較的容易に腕を動かすことができる患者には、本発明のスペーサ体を取り付けず、患者識別情報のバーコードを記録したリストバンドのみを使用することによって、前記のように患者個人を特定できる。そのため、患者に応じて、ＲＦＩＤインレットをリストバンドに取り付ける必要があるか否かを選択し、これに伴って本発明のスペーサ体をリストバンドに取り付ける場合と、取り付けない場合とのいずれかを決めることができる。さらに、かかる本発明のスペーサ体は、リストバンドと別々に保管や購入等を行うことができるため、これら保管や購入等の作業に要する手間を可及的に抑制することができ、これらに伴うコストも抑制できる。尚、リストバンドやＲＦＩＤインレットには、従来から用いられている構成のものを適用できるため、本発明のスペーサ体を準備することのみで、医療現場で上述した作用効果が得られる。
【００１４】
さらにまた、本発明のスペーサ体は、上述したようにリストバンドと別部材であることから、リストバンドが破損したり、ＲＦＩＤインレットが故障した場合に、これらを交換するのみで同じスペーサ体を使用できる。逆に、スペーサ体が破損した場合には、該スペーサ体のみを交換することで対応できる。さらに、スペーサ体にも必要な情報を表示することが可能であるため、例えば、内科や外科などの分科毎に色分けして着色したり、処置レベルに応じて色分けして着色すること等も可能である。
【００１５】
上述した本発明のリストバンド用のスペーサ体にあって、リストバンドのＲＦＩＤ取付部に取り付けられたＲＦＩＤインレットと該リストバンドを装着した人体とを５ｍｍ以上離間して保持するものである構成が提案される。
【００１６】
かかる構成にあっては、ＲＦＩＤインレットと人体とを５ｍｍ以上離間させることにより、ＵＨＦ帯域の電磁波に対する人体の影響を可及的に抑制できることから、該ＵＨＦ帯域の電磁波の、安定して通信可能な通信距離を、一層長くすることができる。これにより、リストバンドと離れた位置からでも一層安定かつ正確に患者識別情報を取得できるため、該取得の際における患者の負担を軽減する効果が一層向上すると共に、該取得作業の作業効率が一層向上する。また、患者から数ｍ離れた位置からでも、ＵＨＦ帯域の電磁波により一層安定して通信可能となるから、上述したロケーション管理に適用して、該ロケーション管理による所望の効果が一層安定かつ正確に得られる。
【００１７】
尚、ＲＦＩＤインレットと人体とは、できるだけ離間させることにより、ＵＨＦ帯域の電磁波に対する人体の影響を抑制する効果が大きくなる。そのため、スペーサ体は、ＲＦＩＤインレットと人体とを１０ｍｍ以上離間して保持する構成が好適であり、かかる構成によって、上述した作用効果をさらに向上できる。また、スペーサ体は、患者に装着するリストバンドに取り付けるものであることから、実用性を考慮すれば、ＲＦＩＤインレットと人体とを離間する距離は２０ｍｍ以下とすることが好ましい。
【００１８】
上述した本発明のリストバンド用のスペーサ体にあって、少なくとも上下一側に、上方または下方に突出する凸部がリストバンドの長手方向に所定間隔をおいて複数形成されたものである構成が提案される。
【００１９】
かかる構成にあっては、容易に湾曲変形させることができるから、リストバンドを装着する患者の腕に倣うようにして容易に装着でき、装着感も向上できる。また、スペーサ体の容積を低減することができるため、軽量化することができ、装着時の患者の負担を軽減することができる。
【００２０】
尚、本構成のスペーサ体を取り付けたリストバンドを装着している場合には、腕に点滴や輸血などを行う際に、該スペーサ体の隣合う凸部間に該点滴や輸血用のチューブを挿通させることによって、該チューブの詰まり防止用のガイドとして利用することも可能である。また、下方に突出する凸部を備えた構成とした場合には、患者の肌と接触する面積を減少できることから、長期に亘って装着する場合に肌荒れやかぶれなどの発生を抑制できるという優れた利点もある。
【００２１】
また、上述したリストバンド用のスペーサ体にあって、上下両側に複数の凸部を備え、上方に突出する凸部と下方に突出する凸部とがそれぞれ、リストバンドの長手方向で交互に形成されたものである構成が提案される。
【００２２】
かかる構成によれば、一層容易に湾曲変形させることができるため、患者の腕への装着が一層容易となると共に、装着感も一層向上する。そして、さらに軽量化できることから、装着時の患者の負担を一層軽減できる。
【００２３】
上述した本発明のリストバンド用のスペーサ体にあって、リストバントが、一端部から長手方向に所定間隔をおいて複数形成された調整孔のいずれかと他端部に形成された係合孔とを所定のバンド留め具で係合することにより環状に形成されるものであって、両端に前記リストバンドと連係される連係部を備え、少なくとも一側の連係部に前記調整孔のいずれかと固結される固結機構が設けられたものである構成が提案される。
【００２４】
ここで、固結機構としては、連係部に一体的に設けられたものであっても良いし、又は、該連係部と別部材とし、該連係部に取り付けられるものとすることもできる。そして、固結機構は、一側の連係部のみに設けられても良いし、両側の連係部に設けられても良い。
【００２５】
かかる構成にあっては、固定機構によりリストバンドのＲＦＩＤ取付部の裏側位置に位置決めして取り付けることができ、該裏側位置で保持される。これにより、上述したＵＨＦ帯域の電磁波を使用したＲＦＩＤインレットによって比較的長い通信距離を得ることができるリストバンドを容易に提供できる。
【００２６】
上述したリストバンド用のスペーサ体にあって、固結機構が調整孔に貫入される係止突部を備え、リストバンドの調整孔のいずれかに該係止突部が貫入されることによって、該リストバンドに取り付けられるようにしたものである構成が提案される。
【００２７】
かかる構成にあっては、固定機構の係止突部を調整孔のいずれかに貫入して連係するものであることから、比較的容易に取り付けることができると共に、取り付けた位置（ＲＦＩＤ取付部の裏側位置）で安定して保持できる。
【発明の効果】
【００２８】
本発明のスペーサ体は、上述したように、ＲＦＩＤインレットが取り付けられるＲＦＩＤ取付部の裏側に位置するようにリストバンドに取り付けられて、人体と該ＲＦＩＤインレットとを離間した状態で保持するものであるから、該ＲＦＩＤインレットで使用するＵＨＦ帯域の電磁波が人体から受ける影響を抑制でき、該ＵＨＦ帯域の電磁波の、安定した通信を可能とする通信距離を長くできる。これにより、所定の入出力装置をリストバンドに近接させることなく、ＲＦＩＤインレットに記憶した患者の識別情報を確実かつ安定して取得できるため、患者の負担を軽減できると共に、取得作業の作業効率を向上できる。また、ＵＨＦ帯域の電磁波による通信距離を長くできることから、本発明のスペーサ体を取り付けたリストバンドによって、上述したロケーション管理に適用し、該ロケーション管理による所望の効果が得られる。
【図面の簡単な説明】
【００２９】
【図１】実施例１にかかるスペーサ体１の、（Ａ）正面図と、（Ｂ）斜視図である。
【図２】リストバンド４１の、（Ａ）平面図と、（Ｂ）背面図である。
【図３】ＲＦＩＤインレット３１の平面図である。
【図４】リストバンド４１に取り付ける固結機構の説明図である。
【図５】スペーサ体１をリストバンド４１に取り付けた状態を示す説明図である。
【図６】ＲＦＩＤインレット３１の通信距離の評価結果を示す図表である。
【図７】実施例２にかかるスペーサ体７１の、（Ａ）正面図と、（Ｂ）平面図である。
【図８】スペーサ体７１をリストバンド４１に取り付けた状態を示す説明図である。
【発明を実施するための形態】
【００３０】
本発明にかかる実施形態を、以下の実施例１，２に従って説明する。
尚、本実施例１，２にあって、「表（表側）」は、リストバンド４１を患者に装着するためにリング状とした場合に、外側に露出する側（方向）を示し、「裏（裏側）」は、リストバンド４１をリング状とした場合に、内側を向く側（方向）を示す。
【実施例１】
【００３１】
実施例１のリストバンド用のスペーサ体１は、図５のように、ＲＦＩＤインレット３１を取り付けたリストバンド４１に取り付けられて使用されるものである。
【００３２】
リストバンド４１としては、図２のように、病院等の医療現場で患者の腕に装着されるものであり、ポリウレタンやポリエステル等の合成樹脂材料から形成され、柔軟性（易変形性）と肌触りの良さとを有している。このリストバンド４１は、長尺な帯状を成し、一端部から所定間隔を置いて複数の調整孔４４が形成されたバンド部４３と、他端部に形成された係合部４５と、患者の識別情報が印刷される幅広の情報表示部４２とを備えたものであり、該情報表示部４２がバンド部４３と係合部４５との間に位置するように夫々連成されている。ここで、バンド部４３には、複数の調整孔４４が、リストバンド４１の幅方向の略中央に夫々形成されている。また、係合部４５は、情報表示部４２からリストバンド４１の長手方向に沿って連成されたベース部４７と、該ベース部４７から該長手方向と直交する片側に延成された矩形状の折返部４８とから構成されている。そして、ベース部４７の略中央に係合孔４６ａが形成され、折返部４８の略中央に係合孔４６ｂが形成されており、該折返部４８をベース部４７側に折り返して該ベース部４７と重ね合わせた状態で、両者の係合孔４６ａ，４６ｂとが重なって連通する。ここで、本実施例にあっては、ベース部４７の係合孔４６ａが前記調整孔４４と同じ孔径に形成され、折返部４８の係合孔４６ｂが該調整孔４４よりも若干大きい孔径に形成されている。
【００３３】
このリストバンド４１の情報表示部４２には、リング状とした状態（図５参照）で外側となる表面に、患者個人を識別するための患者識別情報が印字される。この印字作業は、細長い帯状の状態で所定のプリンタで行うことができ、安定かつ正確に患者識別情報を印字できる。ここで、患者識別情報には、氏名や患者ＩＤ等が活字により表示された情報と、同様の氏名や患者ＩＤ等がバーコードにより表示された情報とを設定している。これにより、担当医や看護婦が目視により患者を特定できると共に、所定のバーコードリーダ装置によりバーコードを読み込んで患者を特定できることから、該患者に応じた診療処置を正しく行うことができ、過誤診療を防止できる。
【００３４】
尚、リストバンド４１にあって、バンド部４３は、その幅寸法が約１２ｍｍ、その長さ寸法が約２００ｍｍ、情報表示部４２は、その幅寸法が約２５ｍｍ、その長さ寸法が約７５ｍｍとなっている。
【００３５】
こうしたリストバンド４１は、リング状に巻回されて、バンド部４３と係合部４５のベース部４７とを重ね合わせ、該係合部４５の折返部４８を折り返して、ベース部４７と折返部４８とによってバンド部４３の一部を表裏から挟む。そして、バンド部４３の調整孔４４のいずれかとベース部４７の係合孔４６ａと折返部４８の係合孔４６ｂとを重ね合わせて、表裏方向で連通させる。この状態で、バンド留め具５１により、バンド部４３と係合部４５とを係合する（図４参照）。ここで、係合孔４６ａ，４６ｂと係合させる調整孔４を選択することによって、患者の腕（手首）に合わせて長さ調整することができ、患者に合わせた大きさのリング状に形成することができる。
【００３６】
上述したバンド留め具５１は、図４のように、円盤状の支持盤部５３と該支持盤部５３の中央から突出する係止突部５４とを備えた雄型留め片５２と、該係止突部５４を嵌入可能な係止孔５６が開口形成された円盤状の雌型留め片５５とから構成されている。ここで、雄型留め片５２の係止突部３４は、上記したリストバンド４１の調整孔４４と係合孔４６ａ，４６ｂとに貫入可能となっている。そして、係止突部５４と係止孔５６とは、該係止突部５４が係止孔５６に嵌入した係合状態で、両者を脱離不能とするように構成されている。また、雄型留め片５２の支持盤部５３と雌型留め片５５とは、略同じ外径寸法に形成されており、上記したリストバンド４１の調整孔４４および係合孔４６ａ，４６ｂよりも大きい外径寸法となっている。こうしたバンド留め具５１は、本実施例１にあって、リストバンド４１をリング状に形成する際に、後述するようにスペーサ体１をリストバンド４１に固定する（図５参照）。こうしたバンド留め具５１の使用態様については、後述する。尚、バンド留め具５１は、リストバンド４１や後述するスペーサ体１と別部材であり、高密度ポリエチレン、ポリスチレン、ポリアミド、アクリル樹脂、ＡＳ樹脂、ＡＢＳ樹脂、ポリプロピレン等の硬質プラスチックにより形成されている。
【００３７】
一方、上記したＲＦＩＤインレット３１は、図３のように、合成樹脂製のフィルム３２上にＩＣチップ３３と該ＩＣチップ３３に接続されたアンテナ３４とを備えている。このＲＦＩＤインレット３１は、図示しない入出力装置（リーダ・ライタ装置）との間で、電磁波を利用してコマンドやデータ等の信号を非接触で送受信できる非接触型の電池レスタイプであり、前記ＩＣチップ３３が具備するメモリに前記入出力装置と交信されたコマンドやデータ等が記憶される。ここで、合成樹脂製のフィルム３２としては、ポリエチレンテレフタラート、ポリブチレンテレフタレート、ポリイミド等の合成樹脂製ものが好適に用いられ、フィルム厚が１０μｍ〜１００μｍのものを適用できる。このフィルム３２は、易変形性を有する。また、本実施例１にあって、ＲＦＩＤインレット３１は、ＵＨＦ帯域（例えば、８００ＭＨｚ〜１ＧＨｚ）で通信可能とするものであり、使用する電磁波に応じてＩＣチップ３３やアンテナ３４が設定されている。例えば、アンテナ３４には、ダイポールアンテナやメアンダラインアンテナ等の小型のものを適用でき、アンテナ長さを約１０ｃｍとしたものが好適に用いられる。
【００３８】
このＲＦＩＤインレット３１は、上述したリストバンド４１の情報表示部４２の裏面に貼付される（図２（Ｂ）参照）。そして、ＲＦＩＤインレット３１の貼付には、図示しない粘着シートが用いられる。この粘着シートは、合成樹脂製のフィルムの片面に略均一な厚みで粘着剤層が形成されており、該粘着剤層によって貼り付けることができるものである。粘着シートは、ＲＦＩＤインレット３１に比して大きい面積に形成されていることから、該ＲＦＩＤインレット３１を被覆するようにしてリストバンド４１に貼付される。これにより、ＲＦＩＤインレット３１が露出せずに、粘着シートにより保護される。ここで、ＲＦＩＤインレット３１はリストバンド４１の情報表示部４２に貼付されることから、該情報表示部４２により、本発明にかかるＲＦＩＤ取付部が構成されている。
【００３９】
尚、本実施例にあって、ＲＦＩＤインレット３１は、その幅寸法が約９．５ｍｍ、左右横方向の長さが約７０ｍｍに設定されている。また、粘着シートは、前記ＲＦＩＤインレット３１よりも一回り程度大きい寸法形状のものである。そして、この粘着シートとしては、ポリオレフィン系やウレタン系のフィルムに、アクリル系やシリコン系の粘着剤を塗布して粘着剤層を形成したものが好適に用いられる。こうした粘着シートによれば、人体に触れたときのフィット感が良く、肌にやさしく、水分に強く、汗などで剥がれ難いという作用効果を奏する。
【００４０】
次に、本発明の要部にかかるリストバンド用のスペーサ体１について説明する。
スペーサ体１は、図１のように、略横長矩形状のプラスチック製薄板材の上面から上方に突出する上凸部２と、該薄板材の下面から下方に突出する下凸部３とが夫々複数設けられたものである。各上凸部２および各下凸部３は、前記薄板材の幅方向（横方向と直交する方向）に沿って形成されており、該上凸部２と下凸部３とはそれぞれ、横方向（長手方向）に所定間隔をおいて並設されて、該横方向で交互に位置するように設けられている。そして、上凸部２および下凸部３は、夫々の上端部が湾曲形状をなしており、患者の腕に装着した場合に装着感が良い。
【００４１】
尚、スペーサ体１の上凸部２と下凸部３とは、プラスチック製の薄板を表裏からプレス加工することにより形成することができる。これにより、上凸部２と下凸部３とからなる所謂蛇腹状に形成され、各上凸部２と下凸部３とが所望の剛性を有すると共に、軽量化の効果が大きい。さらに、上凸部２と下凸部３とが横方向に夫々並設された構造であることから、横方向に湾曲変形させ易く、患者の腕（手首）に合わせるように容易に変形させることができる。こうした上凸部２と下凸部３とにより、本発明にかかる凸部が構成されている。
【００４２】
スペーサ体１の左右両端部には、薄板状の連係部１１ａ，１１ｂが形成されている。一側の連係部１１ａには、上下方向に貫通する円形状の固結孔１３が開口形成されており、他側の連係部１１ｂには、上下方向に貫通する長方形状の挿通孔１４が開口形成されている。ここで、連係部１１ａの固結孔１３は、上記したリストバンド４１の調整孔４４と同じ孔径により形成され、連係部１１ｂの挿通孔２４は、該リストバンド４１を挿通可能とするサイズに形成されている。
【００４３】
こうしたスペーサ体１の素材には、ポリエチレン系、シリコン系、又はウレタン系等のプラスチックを適用することができ、該スペーサ体１は、該素材であるプラスチック製薄板材により成形可能である。シリコン系やウレタン系のプラスチックは、柔軟性、耐候性、耐熱性等に優れ、さらには人体にとってアレルギー反応が少ないという利点も有する。尚、スペーサ体１は、本実施例１にあって、横方向長さが約９５ｍｍ、幅寸法が約２０ｍｍ、上凸部２の上端と下凸部３の下端との間隔（高さ寸法）が約１０ｍｍに設定されている。
【００４４】
本実施例１のスペーサ体１は、上記したＲＦＩＤインレット３１を貼付したリストバンド４１に取り付けて使用される。すなわち、リストバンド４１の情報表示部４２の裏面にＲＦＩＤインレット３１を貼付し、該リストバンド４１を、リング状とする前に、バンド部４３の端からスペーサ体３の連係部１１ｂの挿通孔１４に挿通させる。この際に、ＲＦＩＤインレット３１を貼付した情報表示部４２の裏面が、スペーサ体１に対向するように、リストバンド４１を該スペーサ体１の挿通孔１４に挿通する。次に、スペーサ体１の連係部１１ａ上に、リストバンド４１の係合部４５のベース部４７を重ね、該連係部１１ａの固結孔１３と該ベース部４７の係合孔４６ａとを重ね合わせる。そして、スペーサ体３の挿通孔１４に挿通したリストバンド４１のバンド部４２を、該スペーサ体３が内側となるようにリング状として、該バンド部４２の調整孔４４のいずれかを、連係部１１ａの固結孔１３に重ね合わせる。さらに、リストバンド４１の係合部４５の折返部４８を折り返してバンド部４２上に重ね、該折返部４８の係合孔４６ｂを前記調整孔４４にさらに重ね合わせる（図４参照）。こうして、下から順に、スペーサ体１の固結孔１３、リストバンド４１の係合部４５の係合孔４６ａ、バンド部４２の調整孔４４、折返部４８の係合孔４６ｂを重ね合わせた状態で、図４のように、これら全ての孔に、表裏一側から上述したバンド留め具５１の雄型留め片５２の係止突部５４を貫入する。そして、係止突部５４に、表裏他側から雌型留め片５５の係止孔５６を嵌め合わせて係合する。これにより、図５のように、スペーサ体１を、リストバンド４１の情報表示部４２の裏側に位置するように、該リストバンド４１に固結すると共に、バンド部４２の調整孔４４のいずれかと係合部４５の係合孔４６ａ，４６ｂとを係合して、該リストバンド４１をリング状に形成する。このようにバンド留め具５１は、リストバンド４１をリング状に形成する役割に加えて、該リストバンド４１にスペーサ体１を固結する役割を有している。そのため、本実施例１のバンド留め具５１は、スペーサ体１の固結機構を構成するものである。
【００４５】
尚、上述したようにリストバンド４１をリング状として、患者の腕（手首）等に装着すると、バンド留め具５１が係止突部５４と係止孔５６とが脱離不能であることから、該リストバンド４１を患者から取り外す際には、該リストバンド４１を切断せねばならない。
【００４６】
リストバンド４１に貼付したＲＦＩＤインレット３１には、そのＩＣチップ３２に患者の識別情報がデータ化されて記憶される。このＲＦＩＤインレット３１に患者の識別情報を記録する方法としては、例えば、リストバンド４１の情報表示部４２の裏面にＲＦＩＤインレット３１を貼付した後に、当該情報表示部４２に表面に印字された患者識別情報を読み込んで記録する。すなわち、リストバンド４１の情報表示部４２の表面には、ＲＦＩＤインレット３１を貼付する前に、所定のプリンタにより患者識別情報（バーコード等）が印字される。その後、ＩＣチップ３２に患者識別情報を記憶していないＲＦＩＤインレット３１を、リストバンド４１の情報表示部４２の裏面に貼付し、当該リストバンド４１の情報表示部４２の表面に印字されている患者識別情報を、所定のデータ移送装置（図示しない）を用いて読み込む。そして、データ移送装置により、リストバンド４１から読み込んだ患者識別情報をデータ化して、当該リストバンド４１に貼付したＲＦＩＤインレット３１のＩＣチップ３２に書き込んで記録する。ここで、データ移送装置には、バーコードの読み取り機能と、該機能により読み取った情報を入力データに変換する機能と、変換した入力データをＵＨＦ帯域の電磁波により出力する機能とを有するハンディタイプのものが好適に用いられる。これにより、リストバンド４１の情報表示部４２に印刷された患者識別情報を読み込んで、ＵＨＦ帯域の電磁波によりＲＦＩＤインレット３１のＩＣチップ３２に非接触で記憶できることから、ＲＦＩＤタグ１にリストバンド４１と同じ患者識別情報を確実に記録することができ、記録間違い等の発生を可及的に抑制できる。
【００４７】
図５のように、本実施例１のスペーサ体１が取り付けられたリストバンド４１を、リング状とし、患者の腕（手首）に装着した状態では、該リストバンド４１に貼付されたＲＦＩＤインレット３１と患者の人体（腕）との間にスペーサ体１が介装されることとなるため、該ＲＦＩＤインレット３１は患者の腕からスペーサ体１の高さ寸法（約１０ｍｍ）だけ離間して保持される。こうしてＲＦＩＤインレット３を人体から離間できることにより、該ＲＦＩＤインレット３１によるＵＨＦ帯域の電磁波で安定して通信可能な通信距離を長くすることができる。これは、ＵＨＦ帯域の電磁波が人体から受ける影響を小さくできることに因り、当該リストバンド４１と離れた位置から、上記したデータ入出力装置により安定して通信することができる。
【００４８】
尚ここで、ＵＨＦ帯域の電磁波による通信距離を評価した結果について説明する。
評価は、（１）患者との距離が比較的近い状態と、（２）上述したロケーション管理を想定して患者と比較的離れた状態とで実施した。以下に、各評価の結果（図６）を説明する。尚、いずれの評価でも、ＲＦＩＤインレット３１を情報表示部４２の裏面に貼付したリストバンド４１に、スペーサ体１を取り付けて、患者の腕（手首）に装着した状態で実施している。
（１）ハンディタイプのデータ入出力装置を使用することを想定して、出力０．１Ｗで、人体とＲＦＩＤインレット３１との距離と、通信距離との関係を調べた。ここで、スペーサ体１には、その上凸部２の上端と下凸部３の下端との高さ寸法（間隔）が１ｍｍ、５ｍｍ、１０ｍｍのものを用いている。そして、通信距離１０ｃｍ〜４０ｃｍで、ＲＦＩＤインレット３１に記憶したデータ（患者識別情報）を取得できる確率を、所定の実施回数での取得回数により求めた。この評価結果を図６（Ａ）に示す。図６中で、取得できた確率が、１０％以下を「×」、１０％〜６０％を「△」、６０％〜９０％を「○」、９０％以上を「◎」として表している。
この評価結果からは、スペーサ体１の高さ寸法を５ｍｍ以上とすることにより、通信距離１０ｃｍ〜４０ｃｍで比較的安定した通信が可能であることが分かる。
（２）ロケーション管理を想定して、病院の廊下の天井横にデータ入出力装置のアンテナを配設し、出力０．２５Ｗ、０．５Ｗ、１Ｗの場合で、人体とＲＦＩＤインレット３１との距離と、通信距離との関係を調べた。ここで、スペーサ体１には、上記（１）と同じ三種類の高さ寸法のものを使用し、データ入出力装置のアンテナを配設した廊下を通過する際に、ＲＦＩＤインレット３１に記憶したデータ（患者識別情報）を取得できる確率を求めた。尚、データ入出力装置のアンテナと、廊下を通過する患者のリストバンド４１との距離は、２ｍ程度である。この評価結果を図６（Ｂ）に示す。
この評価結果からは、スペーサ体１の高さ寸法を５ｍｍ以上とすることにより、比較的安定した通信が可能であることが分かる。
こうした評価により、リストバンド４１に貼付したＲＦＩＤインレット３１がＵＨＦ帯域の電磁波により安定した通信を行うためには、該ＲＦＩＤインレット３１と人体（患者の腕）とを５ｍｍ以上離間して保持できるスペーサ体１が必要であることが明らかとなった。さらに、図６の評価結果から、スペーサ体１には、ＲＦＩＤインレット３１と人体（患者の腕）とを１０ｍｍ以上離間して保持できる構成のものが一層好適である。
【００４９】
こうしたことから、上述した実施例１のスペーサ体１を取り付けたリストバンド４１を使用することによって、ＲＦＩＤインレット３１に記憶した患者識別情報を、該リストバンド４１と離れた位置で所定のデータ入出力装置を用いて取得できる。そのため、腕を動かすことが困難な患者に用いた場合には、該患者の腕を動かすことなく、患者識別情報を正確かつ容易に取得できる。また、入院患者に用いた場合には、就寝中に、該就寝を邪魔することなく、布団の上から患者識別情報を取得できる。このようにデータ入出力装置により患者識別情報を取得する際に、患者の負担を著しく軽減することができると共に、こうした患者に対する取得作業の作業性を大きく向上できる。
一方、比較的高い出力（０．５Ｗ以上）のデータ入出力装置を病院内に設置することによって、上述した患者のロケーション管理が可能となる。例えば、こうしたデータ入出力装置を病院内の予め定めた複数場所（廊下、階段、トイレなど）に設置することによって、これらの設置場所を患者が移動した場合に、その移動履歴が分かり、患者の所在位置を容易に特定できる。こうしたロケーション管理を行うことによって、入院中の患者が、診療時間に病室にいない場合などで、患者の所在を容易かつ確実に知ることが可能である。
【００５０】
また、本実施例１のスペーサ体１は、リストバンド４１およびＲＦＩＤインレット３１と別部材であることから、該リストバンド４１に取り付ける場合と取り付けない場合とを医療現場で適宜選択することができる。すなわち、健康診断等の患者や比較的容易に腕を動かすことができる患者等には、リストバンド４１のみを装着して、ＲＦＩＤインレット３１も貼付しない。一方、病気や怪我などにより腕を動かすことが困難な患者には、上述したように、リストバンド４１にＲＦＩＤインレット３１を貼付し、さらに該リストバンド４１にスペーサ体１を取り付けて、該患者の腕に装着する。
さらに、前記のようにスペーサ体１とリストバンド４１とが別部材であることから、夫々に必要な時に必要な数量を適宜購入して保管することができる。そのため、購入や保管などに要する作業の手間やコストを可及的に低減することができる。特に、リストバンド４１はこれまで医療現場で使用されてきたものを使用し、スペーサ体１のみを購入することで対応することも可能であり、医療現場での負担を軽減することもできる。
【００５１】
また、本実施例１のスペーサ体１は、上述したように容易に湾曲変形でき、患者の腕にフィットさせることができる。さらに、患者の腕との接触面積が小さいことから、装着感を向上できると共に、長期間の使用による肌荒れやかぶれなどの発生を抑制できる。また、スペーサ体１は軽量であることから、比較的長期間使用する場合にも、患者の負担を軽減できる。また、スペーサ体１の、隣合う下凸部３，３間に、輸血や点滴用のチューブを挿通させることによって、該チューブの詰まり防止用のガイドとして使用できる。
【００５２】
また、スペーサ体１は、上述したように、挿通孔１４にリストバンド４１を挿通し、固結孔１３と該リストバンド４１の調整孔４４のいずれかと係合孔４６ａ，４６ｂとをバンド留め具５１によって係合することにより、比較的容易に取り付けることができる。そのため、スペーサ体１とリストバンド４１とを固結する作業に要する負担が少ない。
【００５３】
尚、本実施例１にあって、スペーサ体１の一側の連係部１１ａに設けられた固結孔１３とバンド留め具５１とにより、本発明にかかる固結機構が構成されている。
【実施例２】
【００５４】
実施例２のスペーサ体７１は、図７のように、左右横方向に湾曲された六面体状のブロック上部７２と、該ブロック上部７２の下面部から下方に突出する複数の下凸部７３が横方向に所定間隔をおいて複数並設されている。さらに、ブロック上部７２の左右両端上部から薄板状の連係部８１ａ，８１ｂが延成されている。一側の連係部８１ａには、上述した実施例１と同様に、固結孔８３が開口形成され、他側の連係部８１ｂには、挿通孔８４が開口形成されている。ここで、固結孔８３と挿通孔８４とは、実施例１と同じ形状寸法に設定されている。
【００５５】
こうしたスペーサ体７１の素材には、シリコン系やウレタン系のゴムや発泡体などを適用することができ、上述した実施例１と同様に、柔軟性、耐候性、耐熱性等に優れ、さらに人体のアレルギー反応が少ない。尚、スペーサ体１にあって、ブロック上部７２は、幅寸法が約２０ｍｍ、左右横方向の円弧長さが約７５ｍｍ、厚みが約５ｍｍで形成され、各下凸部７３は、その高さ寸法が約５ｍｍで夫々形成されている。すなわち、ブロック上部７２の上面と下凸部７３の下端との間隔（高さ寸法）が約１０ｍｍである。尚、下凸部７３の下端は、上述した実施例１と同様に湾曲形状をなす。
【００５６】
本実施例２の構成にあって、上述したスペーサ体７１の構造以外は、上述した実施例１と同じであることから、同じ構成要素には同じ符号を記し、その説明を省略する。
【００５７】
本実施例のスペーサ体７１は、図８のように、上述した実施例１と同様にして、情報表示部４２の裏面にＲＦＩＤインレット３１を貼付したリストバンド４１に取り付けられる。尚ここで、リストバンド４１への取り付けには、バンド留め具５１を使用することから、スペーサ体７１の一側の連係部８１ａに設けられた固結孔８３とバンド留め具５１とにより、本発明にかかる固結機構が構成されている。
【００５８】
上述した本実施例２のスペーサ体７１をリストバンド４１に取り付けることによって、上述した実施例１と同様、該リストバンド４１に貼付したＲＦＩＤインレット３１を、患者の腕（手首）から該スペーサ体７１の高さ寸法（約１０ｍｍ）だけ離間して保持できる。これにより、ＵＨＦ帯域の電磁波に対する人体の影響を小さくできることから、該ＲＦＩＤインレット３１によるＵＨＦ帯域の電磁波で安定して通信可能な通信距離を長くすることができる。そのため、非接触により患者識別情報を確認する場合における患者の負担を軽減でき、該確認作業の作業性を向上できる。さらに、上述したロケーション管理に適用することもできる。
また、スペーサ体７１が、リストバンド４１およびＲＦＩＤインレット３１と別部材であることから、該リストバンド４１に取り付ける場合と取り付けない場合とを適宜選択できると共に、これら夫々の購入や保管などに要する作業の手間やコスト等を可及的に低減できる。
また、スペーサ体７１は、ブロック上部７２が湾曲形状をなし、その下部に下凸部７３を備えた構成であることから、患者の腕にフィットさせることができると共に、該下凸部７３によって患者との接触面積が小さくなることから、装着感を向上できる。
このように、本実施例２のスペーサ体７１にあっても、上述した実施例１と同様の作用効果を奏する。
【００５９】
上述した実施例１，２のスペーサ体にあっては、バンド留め具（固結機構）を別体とした構成であるが、これに限定されず、一側の連係部に、固結留め部（固結機構）が形成されたものとしても良い。例えば、固結留め部は、一側の連係部から表方へ突成された係止突部と、該連係部から長手方向と直交する一側に延成され、該係止突部に嵌合される係合孔が形成された折返し部とを備え、係止突部を調整孔に貫入し、折返し部を折り返して係合孔を該係止突部に嵌め合わせることによって、連係部をリストバンドに係合できる。
【００６０】
また、上述した実施例１，２は、一側の連係部に固結孔を形成し、他方の連係部に挿通孔を形成した構成であるが、この他の構成として、左右両側の連係部に夫々固結孔を形成して、バンド留め具５１によりリストバンド４１に取り付けるようにしても良い。
【００６１】
また、上述した実施例１，２の構成にあっては、情報表示部４２の裏面にＲＦＩＤインレット３１を貼付するようにした構成であるが、これに限らず、リストバンドの別部位に貼付するようにしても良い。この場合には、ＲＦＩＤインレット３１が貼付された部位によって、本発明にかかるＲＦＩＤ取付部が構成される。また、ＲＦＩＤインレット３１は、リストバンドの表面に貼付することもでき、さらには、リストバンドとして、その一部に肉厚な部位を有し、該肉厚部位の内部にＲＦＩＤインレット３１を取り付けるようにした構成も適用される。
【００６２】
また、上述した実施例２の構成にあっては、ブロック上部と下凸部とを中実構造としたものであるが、この他の構成として、例えば、該実施例２と外形が同じで且つ中空構造とすることもできる。こうして中空構造とすることにより、さらに軽量化できるから、長期に亘って使用した場合に患者の負担を一層軽減できる。
【００６３】
本発明にあっては、上述した実施例に限定されるものではなく、上述の実施例以外の構成についても本発明の趣旨の範囲内で適宜変更して実施可能である。
【符号の説明】
【００６４】
１，７１  スペーサ体
２  上凸部
３，７３  下凸部
１１ａ，１１ｂ，８１ａ，８１ｂ  連係部
１３，８３  固結孔（固結機構）
３１  ＲＦＩＤインレット
４１  リストバンド
４４  調整孔
４６ａ，４６ｂ  係合孔
５１  バンド留め具（固結機構）
５３  係合突部
【図１】
2015230503.tif 000003
【図２】
2015230503.tif 000004
【図３】
2015230503.tif 000005
【図４】
2015230503.tif 000006
【図５】
2015230503.tif 000007
【図６】
2015230503.tif 000008
【図７】
2015230503.tif 000009
【図８】
2015230503.tif 000010